(57)【要約】      （修正有）【課題】ワンタッチで止めたり、外したりできる簡単操作が可能な建築用鋼管足場の養生シート取付けバンドを提供する。【解決手段】細長いベルト状で、ベルト面に正方形又は長方形又は丸形の穴７を所定の間隔で開け、ベルトの端にはもう一方の端６を巻き込んで入れた時にベルトの穴に引っかけるためのＬ字形状の止め具１を表と裏の両方につけた正方形又は長方形の枠５を二個作る。一個が損傷してももう一方でまかなうことができるようになる。さらにベルトの端にもう一つ穴の開いた細い枠をつくり、その細い枠に布、麻、ナイロン、ゴムやポリエステル製のヒモで蝶々結びの輪や針金、アルミ、銅線やステンレス製でネジリや接合の輪８を作って、入れて接続をして、養生シートの穴にあらかじめ取付けておく。足場にあがってからバンドを締めるだけの簡単な操作で時間の短縮がはかれる。【選択図】図１
0003198502.tif 000002
【実用新案登録請求の範囲】
【請求項１】
本考案は細長いベルト状であり、ベルトの面には正方形、長方形、丸形の穴を規則正しく開けてあり、端にはもう一方の端を巻き込んで枠の中へ入れ込んだ時にベルトの穴に引っかけるためのＬ字形状の止め具を表、裏の両方につけた正方形、または長方形の枠を二個つくり、巻いて差し込んでくるベルトが表、裏のどちらになっても引っかけて止めることができて、一個が損傷してももう一個でまかなうことができるように二個の枠の引っかけ止め具の部分と養生シートの穴に入れて取り付けるために、枠の端に穴の開いた枠をつくり、布、麻、ナイロン、ポリエステル製などのいろいろな材質のヒモ、伸縮性のあるゴム、細いハリガネ、銅線、ステンレスなどの材質などの輪での接続や蝶々結びなどの結び付けやネジリ、溶接などで接続、取り付けることからなることを特徴とする建築用鋼管足場の養生シート取付けバンド。
【請求項２】
細長いベルト状であり、ベルトの面には正方形、長方形、丸形の穴を規則正しく開けてあり、端にはもう一方の端を巻き込んで枠の中へ入れ込んだ時に、ベルトの穴に引っかけるためにＬ字形状の止め具を表、裏の両面につけた正方形、または長方形の枠を一個つくり、巻いて差し込んでくるベルトが表、裏のどちらになっても引っかけて止めることができる部分と養生シートの穴に入れて取り付けるために、枠の端に穴の開いた枠をつくり、麻、ナイロン、ポリエステル製などのいろいろな材質のヒモ、伸縮性のあるゴム、細いハリガネ銅線、ステンレスなどの材質での輪や蝶々結びなどの結び付けの接続や交差させたり、溶接などで、その穴に接続、取り付けることからなることを特徴とする建築用鋼管足場の養生シート取付けバンド。
【考案の詳細な説明】
【技術分野】
【０００１】  建築用の鋼管足場にゴミ、ほこり、洗浄水、塗料、などの飛散防止や落下物などの防災用の養生シートを取付けする器具に関するものである。
【背景技術】
【０００２】  建築用鋼管足場に養生シートを取り付けたり、養生シートの穴どうしを取り付けたりする器具は存在する。
【先行技術】
【０００３】▲１▼、養生シートに付いている穴と鋼管足場の縦、横の丸棒鋼管に取り付ける方法は一般的に布やナイロン製のヒモで職人の手で蝶々結びをして結びつけたり、取り外したりする。布やナイロン製のひもはコスト的に安く、何回も使用が可能であり、軽くて取扱いやすい。
▲２▼、ディスプレイフックと言ってあらかじめカーテンなどをパイプに掛けるときに使用するが、それを太く、大きくして、あらかじめ鋼管足場の縦、横の丸棒にはめ込んでおいてとりつける。縦長のマル型で、開閉はバネ式で、マル型の中へ養生シートの穴へいれる。鋼製、ステンレス製の楕円形で開閉はバネ式である。
▲４▼、Ｓ字フック；
Ｓ字状の形でＳ字の上部半分の部分で丸棒の鋼管にひっかけ、下部のＳ字状の部分で養生シートの穴にいれる器具。鋼製、ステンレス製であるが下部の部分が取り外したりする時に養生シートの穴からはずれる場合があり、あまり普及していない。
▲５▼、パラマル型フック；
上部がＳ字状の上側、下部がディスプレイフックの形である器具。鋼製、ステンレス製である。ただ、養生シートの穴からはずれる欠点がある。
▲６▼、ステンレススプリング；
ひょうたん型で接続、開閉部分はバネ式やネジ式である器具。一本の鋼製、スレンレス製の構造のために養生シートの穴と鋼管の丸棒に取り付けたり、外したりしなければならない欠点がある。
【考案の概要】
【０００４】  本考案は左部のベルトの本体部分と右部のヒモの部分とで構成する。本体のベルトの部分の左側は細長いベルト状で中に規則正しく正方形、長方形や丸形の穴を開けておき、右側の端につくった正方形や長方形の枠の中へベルトを丸めて入れることにより、枠の両面につけたＬ字形の止め具で固定することができるベルトであり、右部は枠の外にもう一つ穴を開けた枠をつくり、その枠の穴の中へいろいろな材質の細いヒモ、伸縮するゴム、細いハリガネ、銅線、ステンレスなどの輪での接続や蝶々結びやネジリ、交差や溶接などで接続、取付けをした建築用鋼管足場の養生シート取付けバンド。
【考案が解決しようとする課題】
【０００５】  防水、防塵、防災、防落下用などの養生シートの穴に入れて取り付けたり、取り外したりする器具は布やナイロン製のヒモが広く一般的に使用されているが、蝶々結びで取り付けたり、取り外したりするのは人間の手であり、養生シートの穴は多く、一つずつ結んだり、外したりするのは大変な労力と時間を要する。もっと簡単な方法と器具があれば下請け作業の職人達の労力を減らせて、建設費の軽減になる。
【課題を解決するための手段】
【０００６】  本考案はヒモ状の細長いベルト式のバンドであり、ゴム、合成樹脂、プラスチックなどの材質でつくり、ベルト式のバンドはＬ字形状の引っかけ式の止め具で止められるようにベルトは正方形や長方形の穴や丸型の穴を規則正しく無数に開けてあり、ベルトの一方の先端はズボンのベルトのように三角形、楕円形や台形にして差し込み易くした形状であり、もう一方の端にはベルトの先端と中間部分を入れるために正方形や長方形の枠を作り、その枠にベルトの穴に引っかけて止める役割をするＬ字形状にした引っかけ式止め具をとりつける。引っかけ式止め具は表と裏の両方向につけておき、バンドが表と裏のどちらになっても長方形の枠の中に先端を巻き込み、差し込んで引っ張ると、どちらでも引っかけ、止めて取り付けることが出来るようにしてあり、更に表と裏の両サイドの止め具が二個にすることにより、一個が破損したり欠けたりした場合の予備となり、長期にわたって使用が可能となる。また、枠の端には養生シートの穴にいろいろな材質のヒモ、ゴム、ハリガネ、銅線、ステンレスなどで取り付けるための穴の開いた枠をつくる。ヒモ、ゴム、ハリガネ、銅線、ステンレスは柔軟であり、どんな長さ、角度にも対応できるために取扱いが便利である。又養生シートの隣どうしの穴に使用する場合は本考案のベルトを短い長さにして、鋼管足場を挟んで両サイドの養生シートの穴に入れたり、縦、横、上、下の鋼管の丸棒にかける場合は長い長さで対応する。
【考案の効果】
【０００７】  屋根や家屋やビルの壁面などの鋼管足場上の作業は高所で、狭い場所などで危険がともなう。本考案を使用すると養生シートどうしの穴に取り付けたり、取り外したりする作業はワンタッチの操作であり、ヒモで蝶々結びをしたりするよりは時間の短縮となり、作業者にとってもストレスが少なくてすみ、建築費用も削減できる。
【図面の簡単な説明】
【０００８】
【図１】  正面図  ▲１▼  表図  ▲２▼  裏図
【図２】  側面図  ▲１▼  左図  ▲２▼  右図
【図３】  上からの図
【図４】  斜め図
【図５】  Ｌ字形状の引っかけ式止め具  ▲１▼  左  ▲２▼  右
【図６】  養生シートの穴どうしに入れた図
【図７】  ヒモ、ゴム、ハリガネ、ステンレスの輪を養生シートの穴に入れた図  ▲１▼  穴に入れる  ▲２▼  回転する  ▲３▼  引っ張って締める
【図８】  養生シートの穴に入れた図  ▲１▼  真ん中に鋼管の棒がある場合  ▲２▼  上に鋼管の棒がある場合  ▲３▼  下に鋼管の棒がある場合  ▲４▼  右に鋼管の棒がある場合  ▲５▼  左に鋼管の棒がある場合
【図９】  枠が１個の場合  ▲１▼  正面図  ▲２▼  側面図  ▲３▼  上からの図  ▲４▼  斜め図
【符号の説明】
【０００９】▲１▼、枠の中のＬ字形状の引っかけ式止め具
▲２▼、ベルトの部分
▲３▼  養生シート
▲４▼、養生シートの穴
▲５▼、正方形、長方形の枠
▲６▼、ベルトの先端部分
▲７▼、ベルトの穴部分
▲８▼、ヒモ、ゴム、ハリガネ
▲９▼、鋼管足場の丸棒
【考案を実施するための形態】
【００１０】  次の順番で実施する。
▲１▼、はじめに、地上で一方の養生シートの穴に本考案のヒモ、ゴム、ハリガネ、銅線、ステンレス、などの輪の部分を穴にはめ込んだり、結んだり、ねじったり、溶接したりしてぶら下げておく。
▲２▼、鋼管足場の上にあがってから本考案のベルトの先端の部分を一枚目の養生シートの穴へ内から外へ差し込む。
▲３▼、もう一枚の養生シートの穴へ外から中へ入れて、引っ張り締めて、先端を本考案の正方形や長方形の枠の中へ入れて、枠についている引っかけ式止め具に引っかけると抜けなくなる。本考案のベルトが作業上、表、裏のどちらになっても、引っかけ式止め具を前、後の両面につけてあるために、取り付けることができる。さらに、引っかけ止め具は二個にしてあるために、どちらに入れても可能であり、長い間使用して一個が消耗して破損したり、減ったりしてももう一個でまかなえて交換せずに使用できる。
▲４▼、取り外す時は先端部分や枠の外に出ているベルトの部分を持って、先や横の左右へ引っ張ると簡単に引っかけ式止め具よりはずれて、取り外すことができる。本考案のベルトのもう一方の端はそのまま、ヒモ、ゴム、ハリガネ、銅線、ステンレスなどで一方の養生シートの穴につけたままにしておく。
【産業上の利用可能性】
【００１１】  養生シートはほとんどの現場で布やナイロン製のヒモで蝶々結びの作業をしている。人間の手で一つ、一つ結んだり、解いたりするのは大変な労力と時間を要する。本考案を使用すれば労力と時間が短縮されて、コストダウンにもなり、工事費の節約ができて、建築業界に大いに寄与する。
【図１】
0003198502.tif 000003
【図２】
0003198502.tif 000004
【図３】
0003198502.tif 000005
【図４】
0003198502.tif 000006
【図５】
0003198502.tif 000007
【図６】
0003198502.tif 000008
【図７】
0003198502.tif 000009
【図８】
0003198502.tif 000010
【図８】
0003198502.tif 000011
【図９】
0003198502.tif 000012
【手続補正書】
【提出日】平成27年4月8日(2015.4.8)
【手続補正１】
【補正対象書類名】実用新案登録請求の範囲
【補正対象項目名】全文
【補正方法】変更
【補正の内容】
【実用新案登録請求の範囲】
【請求項１】
細長いベルト状で、ベルトの面には正方形又は長方形又は丸形の穴を所定の間隔で開けてあり、ベルトの端にはもう一方の端を巻き込んで枠の中へ入れ込んだ時にベルトの穴に引っかけるためのＬ字形状の止め具を表と裏の両方につけた正方形又は長方形の枠を二個作り、巻いて差し込んでくるベルトが表、裏のどちらになっても、引っかけて止めることができて、一個が損傷してももう一方でまかなうことができるように、二個の枠のＬ字形状の止め具の部分をつくり、さらにベルトの端にもう一つ穴の開いた細い枠をつくり、その細い枠に布、麻、ナイロン、ゴムやポリエステル製のヒモで蝶々結びの輪や細い針金、アルミ、銅線やステンレス製でネジリや接合の輪を作って、穴の開いた細い枠の中に入れて接続をして、養生シートの穴に取付けることを可能にすることを特徴とする建築用鋼管足場の養生シート取付けバンド。
【請求項２】
細いベルト状で、ベルトの面には正方形又は長方形又は丸形の穴を所定の間隔で開けてあり、ベルトの端にはもう一方の端を巻き込んで枠の中へ入れ込んだ時にベルトの穴に引っかけるためのＬ字形状の止め具を表と裏の両方につけた正方形又は長方形の枠を一個作り、巻いて差し込んでくるベルトが表、裏のどちらになっても、引っかけて止めることができるＬ字形状の止め具の部分をつくり、さらにベルトの端にもう一つ穴の開いた細い枠をつくり、その細い枠に布、麻、ナイロン、ゴムやポリエステル製のヒモで蝶々結びのヒモや細い針金、アルミ、銅線やステンレス製でネジリや接合の輪を作って、穴の開いた細い枠の中に入れて接続をして、養生シートの穴に取付けることを可能にすることを特徴とする建築用鋼管足場の養生シート取付けバンド。
【手続補正２】
【補正対象書類名】図面
【補正対象項目名】全図
【補正方法】変更
【補正の内容】
【図１】
0003198502.tif 000013
【図２】
0003198502.tif 000014
【図３】
0003198502.tif 000015
【図４】
0003198502.tif 000016
【図５】
0003198502.tif 000017
【図６】
0003198502.tif 000018
【図７】
0003198502.tif 000019
【図８】
0003198502.tif 000020
【図９】
0003198502.tif 000021